(57)【特許請求の範囲】
【請求項１】
端末向けの制御信号の一部又は全部を、互換パートと拡張パートとで構成されるリソースのうち前記拡張パートに配置する配置部と、
前記配置された端末向けの制御信号の一部又は全部を送信する送信部と、を備える、
制御信号送信装置。
【請求項２】
前記互換パートは互換性を保つ必要のある複数のシステムで使用されるシステム帯域であり、前記拡張パートは前記互換パートに隣接した周波数帯域に設けられ、かつ送信信号を割り当てることができる周波数リソースである、
請求項１記載の制御信号送信装置。
【請求項３】
前記配置部は、
端末向けの制御信号の一部又は全部を、前記リソースのうち、前記拡張パート及び前記互換パートに配置し、
前記送信部は、
前記配置された端末向けの制御信号の一部又は全部を送信する、
請求項１記載の制御信号送信装置。
【請求項４】
前記配置部は、
端末向けの制御信号の全部を、複数の拡張パートを論理的に合体させてなる前記拡張パートに配置する、
請求項１記載の制御信号送信装置。
【請求項５】
前記配置部は、
端末向けの制御信号の全部を、前記複数の拡張パートのうち、前記互換パートを跨る複数の拡張パートを論理的に合体させてなる前記拡張パートに配置する、
請求項４記載の制御信号送信装置。
【請求項６】
前記配置部は、
制御信号用に所定の単位により構成された前記リソースを構成し、前記互換パートから前記拡張パートに連続し、前記所定の単位毎に前記リソースに付与された番号を定義し、
前記番号に基づき、前記拡張パートの前記所定の単位の１単位又は複数の単位に前記互換パートの前記所定の単位の複数の単位を対応させ、
前記互換パートの前記所定単位の複数の単位のうち１単位又は複数の単位と、前記拡張パートの前記所定の単位の１単位又は複数の単位とに前記端末向けの制御信号の一部又は全部を配置する場合、前記互換パートの前記所定の単位の複数の単位のうち残りの単位には前記端末向けの制御信号の一部又は全部を配置しない、
請求項３記載の制御信号送信装置。
【請求項７】
前記制御信号用に前記リソースを構成する所定の単位とはCCEであり、
前記互換パートから前記拡張パートに連続し、前記所定の単位毎に前記リソースに付与された前記番号とはCCE番号である、
請求項６記載の制御信号送信装置。
【請求項８】
請求項１〜７のいずれか１項に記載の制御信号送信装置から、互換パートと拡張パートとで構成されるリソースのうち前記拡張パートに配置された、自装置向けの制御信号の一部又は全部を受信する受信部を備える、
制御信号受信装置。
【請求項９】
端末向けの制御信号の一部又は全部を、互換パートと拡張パートとで構成されるリソースのうち前記拡張パートに配置し、
前記配置された端末向けの制御信号の一部又は全部を送信する、
制御信号送信方法。
【発明の詳細な説明】
【技術分野】
【０００１】
本発明は、制御情報送信装置、制御情報受信装置、及び制御情報送信方法に関し、特にヘテロジーニアスネットワーク（Heterogeneous Network: HetNet）において制御信号を通信するための、制御情報送信装置、制御情報受信装置、及び制御情報送信方法に関する。
【背景技術】
【０００２】
現在ITU-R（International Telecommunication Union-Radiocommunication sector）では、IMT （International Mobile Telecommunication）- Advanced方式を募集している。3GPP（3rd Generation Partnership Project）では、Rel.8 LTE （Release 8 Long Term Evolution）との互換性を保ちつつ、システム性能を改善するLTE-Advanced （以下、LTE-Aとも言う）の規格標準化が行われている。現在までのセルラーシステムで基本とされてきた基地局を中心としたセルでサービスエリアを面的にカバーするマクロセルシステムでは、今後要求される容量とカバレッジとを満足することは容易ではない。【０００３】
そこで、LTE-A向けに、従来のマクロセルシステムのセルの中に低出力のローカルノードを配置するヘテロジーニアスネットワーク（以下、Heterogeneous Network: HetNetとも言う）が検討されている（非特許文献１参照）。図２２は、HetNetのシナリオの例を示す図である。図２２に示すように、HetNetのシナリオとして５つのケースが検討されている。そのうちの一つに、マクロセルとフェムトセルの混在がある（Case 5.1参照）。図２３は、HetNetの一例を示す図である。マクロセル（evolved Node B: eNB）の近傍にフェムトセル（Home eNB: HeNB）が存在する。図２３に示すように、エリア１内の端末（Macro eNBに接続するUser Equipment：図中、MUE）はマクロセル（Macro eNB）に接続し、エリア２内の端末（Home eNBに接続するUser Equipment：図中、HUE）は、フェムトセル（図中、HeNB）と接続する。ここで、マクロセル（Macro eNB）のカバーするエリア１は、フェムトセルのカバーするエリア２よりも広い。【０００４】
LTE-Aでは、複数のコンポーネントキャリア（Component Carrier：以下、CCとも言う）を同時に用いるCarrier Aggregationが検討されているが、複数のCCが隣接する場合に、CC間の周波数帯を有効に利用するための、Extension Carrier やCarrier Segmentが検討されている。【０００５】
図２４にExtension Carrierの模式図を示す。図２４の縦軸は時間（Time）を、横軸は周波数（Frequency）を示す。図２４中、複数のCCを区別するために、CC１とCC２と表記し、Extension Carrier又はCarrier Segmentを、単にExtension Carrier partと表記している。また、図中、RB（Resource Block）とは、LTEやLTE-Aでは1サブフレームの１２サブキャリアで構成されるリソースの単位のことである。図２４中に示す各CCは１サブフレーム単位である。【０００６】
各CCを利用する場合、隣接システム帯域への与干渉を低減させるためにガード帯域（Guard Band: GB）が設けられる。しかし、隣接する複数のCC１、CC２を同じLTE-Aで使用する場合、CC１とCC２とで挟まれたガード帯域GBは小さくできる。そのため、図２４に示すように、CC１とCC２とで挟まれた周波数帯を有効利用するために、LTEで規定されている元々の帯域（Backward Compatible Part）に、Extension Carrier又はCarrier Segmentを追加する。図２４中では、Backward Compatible Part は100RBであり、Extension Carrier partは各CCに対して10RBである。【０００７】
ここで、Extension Carrier及びCarrier Segmentは、元々のCC（LTEで規定されているCCで、以下、Backward Compatible Partとも言う）に、物理的に追加されたRB（Resource Block）であるという点では同じである。しかし、Extension Carrierは元々のCCとは異なるCCという扱いである一方、Carrier Segmentは元々のCCに付随するリソースとして扱われるという点で異なる（非特許文献２参照）。
【先行技術文献】
【非特許文献】
【０００８】
【非特許文献１】3GPP TR 36.814
【非特許文献２】3GPP R1-100491” Comparison of Carrier Segment and Extension Carrier for Contiguous Carrier Aggregation”
【非特許文献３】3GPP R1-094569”PDCCH Extension to Support Operation with CI”
【発明の概要】
【発明が解決しようとする課題】
【０００９】
しかし、マクロセル圏内のフェムトセル（HeNB）に接続する端末（HUE）は、下り回線の制御信号PDCCH（Physical Downlink. Control Channel）の受信品質が悪い、という課題がある。これを図２５を参照して説明する。図２５はHetNetの他の例を示す図である。【００１０】
まず、LTEでは、PDCCH（Physical Downlink. Control Channel）は、サブフレーム先頭に時間多重されて送信される。各基地局（eNB）のサブフレームが同期している場合、各基地局（Macro eNB）が送信するPDCCHも同じタイミングで送信されることになる。HeNBは家庭内ユーザ向けの小型基地局であり、当該家庭の登録された端末のみが接続することが想定されるが、その送信電力はマクロセル基地局（Macro eNB）より小さく設定されている。【００１１】
そのため、図２５に示すように、HeNBがマクロセル（Macro eNB）の近傍に設置された場合、マクロセル（Macro eNB）からマクロセル（Macro eNB）に接続するMUEに向けて送信した信号の電力が、HeNBからHeNBに接続するHUEに向けて送信された信号の電力より相対的に大きくなる。その結果、HeNBからHUEに向けて送信された信号が、マクロセル（Macro eNB）からMUEに向けて送信した信号から大きく干渉を受けることになる。言い換えると、マクロセル（Macro eNB）からMUEに向けて送信した信号が、HeNBからHUEに向けて送信された信号に干渉を与えることになる。特に、PDCCHは通信のために必要な制御情報が送信されているため、HUEがPDCCHを上述した干渉によって受信・復調・復号できなければ、HUEがHeNBと通信できなくなってしまう。【００１２】
なお、HetNetにおけるセル間干渉対策を目的の一つとして、PDCCHをPDSCH （Physical Downlink Shared Channel）領域に拡張する方法が非特許文献３などで検討されている。【００１３】
本発明の目的は、HetNet環境において、リソースの一部である拡張パート（Extension Carrier又はCarrier Segment）でLTE-A端末（UE）向け制御信号を送信することで、リソースの一部である互換パートのLTE-A端末（UE）向け制御信号領域の使用リソースを減らし、フェムトセルに接続される端末の制御信号が受ける干渉電力を低減することができる制御信号送信装置を提供することである。【００１４】
また、本発明の他の目的は、HetNet環境において、リソースの一部である拡張パート（Extension Carrier又はCarrier Segment）に配置された制御信号を受信することで、拡張パート（Extension Carrier又はCarrier Segment）に配置された制御信号に対するフェムトセルからの干渉が小さくなり、自装置向けの制御信号を確実に受信することができる制御信号受信装置を提供することである。
【課題を解決するための手段】
【００１５】
本発明は、端末向けの制御信号の一部又は全部を、互換パートと拡張パートとで構成されるリソースのうち前記拡張パートに配置する配置と、前記配置された端末向けの制御信号の一部又は全部を送信する送信部と、を備える制御信号送信装置を提供する。【００１６】
上記制御信号送信装置では、前記互換パートは互換性を保つ必要のある複数のシステムで使用されるシステム帯域であり、前記拡張パートは前記互換パートに隣接した周波数帯域に設けられ、かつ送信信号を割り当てることができる周波数リソースである。【００１７】
上記制御信号送信装置では、前記配置部は、端末向けの制御信号の一部又は全部を、前記リソースのうち、前記拡張パート及び前記互換パートに配置し、前記送信部は、前記配置された端末向けの制御信号の一部又は全部を送信する。【００１８】
上記制御信号送信装置では、前記配置部は、端末向けの制御信号の全部を、複数の拡張パートを論理的に合体させてなる前記拡張パートに配置する。【００１９】
上記制御信号送信装置では、前記配置部は、端末向けの制御信号の全部を、前記複数の拡張パートのうち、前記互換パートを跨る複数の拡張パートを論理的に合体させてなる前記拡張パートに配置する。【００２０】
上記制御信号送信装置では、前記配置部は、制御信号用に所定の単位により構成された前記リソースを構成し、前記互換パートから前記拡張パートに連続し、前記所定の単位毎に前記リソースに付与された番号を定義し、前記番号に基づき、前記拡張パートの前記所定の単位の１単位又は複数の単位に前記互換パートの前記所定の単位の複数の単位を対応させ、前記互換パートの前記所定単位の複数の単位のうち１単位又は複数の単位と、前記拡張パートの前記所定の単位の１単位又は複数の単位とに前記端末向けの制御信号の一部又は全部を配置する場合、前記互換パートの前記所定の単位の複数の単位のうち残りの単位には前記端末向けの制御信号の一部又は全部を配置しない。【００２１】
上記制御信号送信装置では、前記制御信号用に前記リソースを構成する所定の単位とはCCEであり、前記互換パートから前記拡張パートに連続し、前記所定の単位毎に前記リソースに付与された前記番号とはCCE番号である。【００２２】
また、本発明は、上記制御信号送信装置から、互換パートと拡張パートとで構成されるリソースのうち前記拡張パートに配置された、自装置向けの制御信号の一部又は全部を受信する受信部を備える制御信号受信装置を提供する。【００２３】
また、本発明は、端末向けの制御信号の一部又は全部を、互換パートと拡張パートとで構成されるリソースのうち前記拡張パートに配置し、前記配置された端末向けの制御信号の一部又は全部を送信する制御信号送信方法を提供する。
【発明の効果】
【００２４】
本発明に係る制御信号送信装置及び制御信号送信方法によれば、HetNet環境において、リソースの一部である拡張パート（Extension Carrier又はCarrier Segment）でLTE-A端末（UE）向け制御信号を送信することで、リソースの一部である互換パートのLTE-A端末（UE）向け制御信号領域の使用リソースを減らし、フェムトセルに接続される端末の制御信号が受ける干渉電力を低減することができる。【００２５】
また、本発明に係る制御信号受信装置によれば、HetNet環境において、リソースの一部である拡張パート（Extension Carrier又はCarrier Segment）に配置された制御信号を受信することで、拡張パート（Extension Carrier又はCarrier Segment）に配置された制御信号に対するフェムトセルからの干渉が小さくなり、自装置向けの制御信号を確実に受信することができる。
【図面の簡単な説明】
【００２６】
【図１】実施の形態１におけるHetNet環境を示す概念図
【図２】（ａ）PDCCH配置前の複数のコンポーネントキャリアを示す図、（ｂ）PDCCHの配置後の複数のコンポーネントキャリアを示す図
【図３】LTE-A 端末（UE）向けPDCCHを拡張パートに移す際の動作シーケンス例（１）
【図４】LTE-A 端末（UE）向けPDCCHを拡張パートに移す際の動作シーケンス例（２）
【図５】制御信号送信装置１００の構成を示すブロック図
【図６】制御信号受信装置２００の構成を示すブロック図
【図７】拡張パートにおけるPDCCH領域の設定方法の例（１）
【図８】拡張パートにおけるPDCCH領域の設定方法の例（２）
【図９】拡張パートにおけるPDCCH領域の設定方法の例（３）
【図１０】拡張パートにおけるPDCCH領域の設定方法の例（４）
【図１１】（ａ）、（ｂ）リソースブロックに配置されるPDCCHを割り当てる方法を説明するための図（１）
【図１２】PDCCHの割当例（１）
【図１３】PDCCHの割当例（２）
【図１４】PDCCHの割当例（３）
【図１５】PDCCHの割当例（４）
【図１６】PDCCHの割当例（５）
【図１７】PDCCHの割当例（６）
【図１８】PDCCHの割当例（７）
【図１９】PDCCHの割当例（８）
【図２０】リソースブロックに配置されるPDCCHを割り当てる方法を説明するための図（２）
【図２１】リソースブロックに配置されるPDCCHを割り当てる方法を説明するための図（３）
【図２２】HetNetのシナリオの例を示す図
【図２３】HetNetの一例を示す図
【図２４】Extension Carrierの模式図
【図２５】HetNetの他の例を示す図
【発明を実施するための形態】
【００２７】
以下、本発明の実施形態について、図面を参照して説明する。
本発明の各実施の形態に係る制御信号送信装置は、マクロセル（Macro eNB）で、拡張パートを構成するExtension Carrier又はCarrier Segmentが使える場合は、LTE-AであるRel.10やRel.11対応の端末（UE）向けPDCCH（Physical Downlink. Control Channel）は、拡張パートを構成するExtension Carrier又はCarrier Segmentで増えたRB（Resource Block）で送信し、互換パートのPDCCH領域の使用CCE（Control Channel Element）を減らすことで、フェムトセル（Home eNB:以下、HeNBとも言う）と接続されるHUE（Home User Equipment：以下、HUEとも言う）のPDCCHが受ける干渉電力を低減するものである。
【００２８】
ここで、CCEとは前記制御信号用に前記リソースを構成する所定の単位である。
【００２９】
図１に、実施の形態１におけるHetNet環境を示す概念図を示す。本実施の形態では、図１に示すように、マクロセルシステムのセルの中に低出力のローカルノードを配置するヘテロジーニアスネットワーク（Heterogeneous Network: HetNet）を想定する。図１に示すように、HeNBがマクロセル（Macro eNB）の近傍に設置され、マクロセル（Macro eNB）からマクロセル（Macro eNB）に接続するMUEに向けて送信した信号の電力が、HeNBからHeNB に接続するHUEに向けて送信された信号の電力より相対的に大きくなる。その結果、図１に示すHetNet環境では、HeNBからHUEに向けて送信された信号が、マクロセル（Macro eNB）からMUE（Macro User Equipment：以下、MUEとも言う）に向けて送信した信号から干渉を大きく受けやすい環境である。
【００３０】
以下、本実施の形態に係る制御信号送信装置１００をマクロセル（Macro eNB）、本実施の形態に係る制御信号受信装置２００をMUE又はLET-A 端末（UE）として説明する。
【００３１】
ここで、マクロセル（Macro eNB）は、Carrier Aggregationにより、下り回線の制御信号であるPDCCHを拡張パートに移して互換パートの電力密度を低減させている。
【００３２】
図２（ａ）、図２（ｂ）を参照して、制御信号送信装置１００におけるPDCCHの配置例を示す。図２（ａ）は、PDCCH配置前の複数のコンポーネントキャリアを示す図であり、図２（ｂ）は、PDCCHの配置後の複数のコンポーネントキャリを示す図である。
【００３３】
また、図２（ａ）、（ｂ）では、図２４と同様、縦軸は時間（Time）を、横軸は周波数（Frequency）を示す。図中、複数のコンポーネントキャリア（Component Carrier：以下、CCとも言う）を区別するために、CC１とCC２と表記し、Extension Carrier又はCarrier Segmentを単に、Extension Carrier partと表記している。図中、RB（Resource Block）とは、LTEやLTE-Aでは１サブフレームの１２サブキャリアで構成されるリソースの単位のことである。図中、各CCは１サブフレーム単位である。Backward Compatible Part は100RBであり、Extension Carrier partは各CCに対して10RBである。
【００３４】
ここで、図２（ａ）に示すように、複数のコンポーネントキャリアCC１、CC２とで挟まれた周波数帯を有効利用するために、LTEで規定されている元々の帯域（Backward Compatible Part）にExtension Carrier又はCarrier Segmentを追加する。図２（ａ）では、Backward Compatible Part は100RBであり、Extension Carrier partは各CCに対して10RBである。以下、LTEで規定されている元々の帯域（Backward Compatible Part）を単に、互換パートと言い、Extension Carrier又はCarrier Segmentを単に拡張パートという場合がある。
【００３５】
ここで、互換パートとは、互換性を保つ必要のある複数のシステムで使用されるシステム帯域であり、拡張パートとは、前記拡張パートは前記互換パートに隣接した周波数帯域に設けられ、かつ送信信号を割り当てることができる周波数リソースである。
すなわち、本実施の形態においては、互換性を保つ必要のある複数のシステムで使用されるシステム帯域とは、LTEとLTE-Advancedの両方で使用されるComponent Carrierであり、互換パートに隣接した送信信号を割り当て可能な周波数帯域に設けられた周波数リソースとは、Extension Carrier又はCarrier Segmentである。
【００３６】
そして、図２（ｂ）に示すように、マクロセル（Macro eNB）は、Rel.10以降の端末（UE）向けPDCCHを、Extension Carrier（拡張パート）で送信するために配置する。つまり、マクロセル（Macro eNB）でExtension Carrier又はCarrier Segmentが使える場合、Rel.10及びRel.11対応のいわゆるLTE-Advanced 端末（UE）向けPDCCHは、拡張パートで増えたRBで送信するために配置する。そのため、図２（ｂ）に示すように、マクロセル（Macro eNB）は、互換パートのPDCCH領域の使用CCEを減らすことができ、互換パートの不使用REが増えることになる。
【００３７】
したがって、HeNBからHeNB に接続するHUEに向けて送信される信号の電力より相対的に大きい、マクロセル（Macro eNB）からマクロセル（Macro eNB）に接続するMUEに向けて送信する信号が、HeNBからHUEに向けて送信される信号に与える干渉を低減することができる。
【００３８】
特に、HeNBからHUEに向けて送信される信号のうち、拡張パートに含まれるPDCCHは通信のために必要な制御情報が送信されているので、図２（ｂ）に示すように、マクロセル（Macro eNB）が、互換パートのPDCCH領域の使用CCEを減らすことができれば、HUEがHeNBから受信する互換パートに配置されたPDCCHに対する干渉を抑制して、HUEは、PDCCHを受信・復調・復号することでHUEがHeNBと通信することができる。
【００３９】
さらに、HeNBが、拡張パートを設けずに互換パートのCC1のみで信号を送信する場合、マクロセル（Macro eNB）では、拡張パートに対するHeNBからの干渉が小さくなる。そのため、マクロセル（Macro eNB）は、拡張パートに通信のために必要な制御情報をPDCCHに含めると、MUEであるRel.10以降端末（UE）に、PDCCHを確実に送信することができる。
【００４０】
なお、図２（ｂ）に示すように、PDCCHのCCEは、eNB毎に異なるパターンでインタリーブされており、不使用ＲＥはまばらに互換パートに存在することになる。したがって、互換パート全体でみると、その電力密度を低減させることができる。
【００４１】
次に、マクロセル（Macro eNB）に接続するLTE-A 端末（UE）向けPDCCHを、拡張パートであるExtension Carrierに移す処理の動作手順について、説明する。
【００４２】
［RRCを使う場合］
図３は、マクロセル（Macro eNB）において、LTE-A 端末（図中、LTE-A UE）向けPDCCHを拡張パートに移す際の動作シーケンス例（１）である。図３に示す動作シーケンス例（１）では、PDSCH（Physical Downlink Shared Channel）で送信される上位の制御情報であるRRC （Radio Resource Control）を用いて、マクロセル（Macro eNB）とLTE-A 端末（UE）との間で、拡張パートにPDCCHが移る指示を送受信する。これは、（１）帯域全体で見た場合、干渉量や周波数ダイバーシチの効果は急激に時変動するわけではないので、RRCでセミスタティック（semi-static: 準静的）に制御すれば良いためである。また、（２）RRCは端末（UE）毎に送信されるので、複数の端末（UE）が存在する場合、マクロセル（Macro eNB）は端末（UE）個別に指示が可能となるからである。
【００４３】
まず、ステップＳ３１では、マクロセル（Macro eNB）は、互換パートのPDCCHで指示されるPDSCHで送信するデータ信号として、拡張パートのPDCCHに移ることを指示するRRCを送信する。これは、Rel.10以降の端末（UE）であっても、RRCのシグナリングをとるまで、互換パートのPDCCH （common search space）を使用しているからである。
【００４４】
ステップＳ３２〜Ｓ３４では、LTE-A 端末（UE）は、互換パートのPDCCHを復調・復号し、RRCのシグナリングを復号する。そして、ステップＳ３５では、LTE-A 端末（UE）は、拡張パートのPDCCHに移る指示を受け取った旨をマクロセル（Macro eNB）に報告する。
【００４５】
ステップＳ３６で、マクロセル（Macro eNB）は拡張パートでPDCCHを生成して、ステップＳ３７で、マクロセル（Macro eNB）はLTE-A 端末（UE）へ送信する。
【００４６】
LTE-A 端末（UE）は、ステップＳ３８でマクロセル（Macro eNB）から送信された拡張パート上のPDCCHをBlind Decodingする。そして、ステップＳ３９では、それ以降、LTE-A 端末（UE）とマクロセル（Macro eNB）との間では、拡張パートのPDCCHを用いて下り回線の通信を行う。
【００４７】
［BCHを使う場合］
図４は、LTE-A 端末（図中、LTE-A UE）向けPDCCHを拡張パートに移す際の動作シーケンス例（２）である。図４に示す動作シーケンス例（２）では、BCH（Broadcast Channel）を用いて、マクロセル（Macro eNB）とLTE-A 端末（UE）との間で、拡張パートにPDCCHが移る指示を送受信する。これは、帯域全体で見た場合、干渉量や周波数ダイバーシチの効果は急激に時変動するわけではないので、BCHでセミスタティック（semi-static: 準静的）に制御すれば良いためである。なお、BCHは、セル内の全端末（UE）向けの報知信号であるため、RRC と異なり、端末（UE）個別に指示をできない。
【００４８】
ステップＳ４１では、マクロセル（Macro eNB）は、BCHにLTE-A 端末（UE）が拡張パートのPDCCH領域を使うという指示を含め、BCHをLTE-A 端末（UE）に送信する。そして、マクロセル（Macro eNB）は、拡張パートでPDCCHを生成し（ステップＳ４２）、送信する（ステップＳ４３）。
【００４９】
LTE-A 端末（UE）は、拡張パートのPDCCHをBlind Decodingする（ステップＳ４４）。そして、それ以降、LTE-A 端末（UE）とマクロセル（Macro eNB）との間では、拡張パートのPDCCHを用いて下り回線の通信を行う（ステップＳ４５）。
【００５０】
＜ブロック図：制御信号送信装置１００＞
次に、本実施の形態に係る制御信号送信装置１００の構成について、図５を参照して説明する。図５は、制御信号送信装置１００の構成を示すブロック図である。上述のようにマクロセル（Macro eNB）が本実施の形態に係る制御信号送信装置１００である。図５に示す制御信号送信装置１００は、設定部１０１と、制御部１０２と、互換パート用PDCCH生成部１０３と、変調部１０４と、変調部１０５と、変調部１０６と、配置部１０７と、ＩＦＦＴ部１０８と、ＣＰ付加部１０９と、送信ＲＦ部１１０と、アンテナ１１１と、拡張パート用PDCCH生成部１１２と、変調部１１３とを備える。
【００５１】
設定部１０１は、例えば、所要伝送レート又はデータ伝送量に従って、上り回線及び下り回線にそれぞれ使用する１つ、又は複数のリソースブロック（Resource Block：RB）を、端末（UE）毎に設定（configure）する。また、設定部１０１は、各端末（UE）に対して、リソースブロック毎に互いに異なる端末（UE）ＩＤを設定する。設定部１０１は、これらの設定情報 （configuration information）を、制御部１０２及び互換パート用PDCCH生成部１０３に出力する。
【００５２】
制御部１０２は、設定部１０１から入力される設定情報に基づいて、LTE-A 端末（UE）又はLTE 端末（UE）の上りデータを割り当てる上りリソース（例えば、ＰＵＳＣＨ）のスケジューリング情報（以下「上りスケジューリング情報」という）、及びLTE-A 端末（UE）又はLTE 端末（UE）宛て下りデータを割り当てる下りリソース（例えば、PDSCH）のスケジューリング情報（以下「下りスケジューリング情報」という）を生成する。また、制御部１０２は、設定部１０１から入力される設定情報に基づいて、LTE-A 端末（UE）又はLTE 端末（UE）の上りデータを割り当てる上りリソース（例えば、ＰＵＳＣＨ）の上りスケジューリング情報を生成する。
【００５３】
そして、制御部１０２は、上りスケジューリング情報、及び下りスケジューリング情報を、互換パート用PDCCH生成部１０３、及び配置部１０７に出力する。また、制御部１０２は、LTE-A 端末（UE）又はLTE 端末（UE）用の上りスケジューリング情報を、配置部１０７に出力する。
【００５４】
互換パート用PDCCH生成部１０３は、制御部１０２から入力されるLTE 端末（UE）用の上りスケジューリング情報及び下りスケジューリング情報を、設定部１０１から入力される設定情報に基づいて、各LTE 端末（UE）に設定されたリソースブロック（RB）に配置されるPDCCHにDCI（Downlink Control Information）として割り当てる。また、互換パート用PDCCH生成部１０３は、LTE 端末（UE）用の上りスケジューリング情報及び下りスケジューリング情報が割り当てられたPDCCHに、ＣＲＣ（Cyclic Redundancy Check）ビットを付加し、さらにＣＲＣビットを、設定部１０１から入力されるLTE 端末（UE）ＩＤでマスキング（又は、スクランブリング）する。そして、互換パート用PDCCH生成部１０３は、マスキング後のPDCCHを、変調部１０４に出力する。
【００５５】
変調部１０４は、互換パート用PDCCH生成部１０３から入力されるPDCCHをチャネル符号化、変調及びインタリーブして、インタリーブ後のPDCCHを、配置部１０７に出力する。
【００５６】
変調部１０５は、設定部１０１から入力される設定情報を変調して、変調後の設定情報を配置部１０７に出力する。
【００５７】
変調部１０６は、入力される送信データ（下り回線データ）をチャネル符号化及び変調して、変調後のデータ信号を、配置部１０７に出力する。
【００５８】
配置部１０７は、変調部１０４から入力されるPDCCHと、変調部１０５から入力される設定情報と、変調部１０６から入力されるデータ信号（つまり、PDSCH）とを多重する。ここで、配置部１０７は、制御部１０２から入力されるLTE-A 端末（UE）又はLTE 端末（UE）用の下りスケジューリング情報に基づいて、PDCCH及びデータ信号（PDSCH）を、各リソースブロック（RB）に配置（多重）する。なお、配置部１０７は、設定情報をPDSCHに配置しても良い。
【００５９】
配置部１０７は、多重された信号を、ＩＦＦＴ（Inverse Fast Fourier Transform）部１０８に出力する。
【００６０】
ＩＦＦＴ部１０８は、配置部１０７から入力される信号にＩＦＦＴ処理を行い、時間領域の信号を取得する。そして、ＩＦＦＴ部１０８は、時間領域の信号をＣＰ（Cyclic Prefix）付加部１０９に出力する。
【００６１】
ＣＰ付加部１０９は、ＩＦＦＴ部１０８から入力される時間領域の信号にＣＰを付加し、ＣＰ付加後の信号を、送信ＲＦ（Radio Frequency）部１１０に出力する。
【００６２】
送信ＲＦ部１１０は、ＣＰ付加部１０９から入力される信号にＤ／Ａ（Digital to Analog）変換、アップコンバート、増幅等の送信処理を施し、送信処理を施した信号を、アンテナ１１１からLTE 端末（UE）へ無線送信する。
【００６３】
拡張パート用PDCCH生成部１１２は、制御部１０２から入力されるLTE-A 端末（UE）用の上りスケジューリング情報及び下りスケジューリング情報を、設定部１０１から入力される設定情報に基づいて、各LTE-A 端末（UE）に設定されたリソースブロック（RB）に配置されるPDCCHに割り当てる。
【００６４】
また、拡張パート用PDCCH生成部１１２は、LTE-A 端末（UE）用の上りスケジューリング情報及び下りスケジューリング情報が割り当てられたPDCCHに、ＣＲＣ（Cyclic Redundancy Check）ビットを付加し、さらにＣＲＣビットを、設定部１０１から入力されるLTE-A 端末（UE）のＩＤでマスキング（又は、スクランブリング）する。そして、拡張パート用PDCCH生成部１１２は、マスキング後のPDCCHを、変調部１１３に出力する。
【００６５】
変調部１１３は、拡張パート用PDCCH生成部１１２から入力される拡張パート用PDCCHをチャネル符号化、変調及びインタリーブして、インタリーブ後のPDCCHを、配置部１０７に出力する。
【００６６】
＜ブロック図：制御信号受信装置２００＞
次に、本実施の形態に係る制御信号受信装置２００の構成について、図６を参照して説明する。図６は、制御信号受信装置２００の構成を示すブロック図である。図６に示す制御信号受信装置２００は、アンテナ２０１と、受信ＲＦ部２０２と、ＣＰ除去部２０３と、ＦＦＴ部２０４と、分離部２０５と、設定情報受信部２０６と、互換パート用PDCCH受信部２０７と、PDSCH受信部２０８と、変調部２０９と、ＤＦＴ部２１０と、配置部２１１と、ＩＦＦＴ部２１２と、ＣＰ付加部２１３と、送信ＲＦ部２１４と、拡張パート用PDCCH受信部２１５とを備える。
【００６７】
受信ＲＦ部２０２は、受信帯域を変更可能に構成されている。受信ＲＦ部２０２は、設定情報受信部２０６から入力される帯域情報に基づいて、受信帯域を変更する。そして、受信ＲＦ部２０２は、アンテナ２０１を介して受信した受信無線信号（ここでは、ＯＦＤＭ（Orthogonal Frequency Division Multiplex）信号）に対して、受信無線処理（ダウンコンバート、Ａ／Ｄ（Analog to Digital）変換など）を施し、得られた受信信号をＣＰ除去部２０３に出力する。
【００６８】
ＣＰ除去部２０３は、受信ＲＦ部２０２から入力される受信信号からＣＰ（Cyclic Prefix）を除去し、ＣＰ除去後の信号を、ＦＦＴ（Fast Fourier Transform）部２０４に出力する。
【００６９】
ＦＦＴ部２０４は、ＣＰ除去部２０３から入力される信号にＦＦＴ処理を行い周波数領域の信号を取得する。そして、ＦＦＴ部２０４は、周波数領域の信号を分離部２０５に出力する。
【００７０】
分離部２０５は、ＦＦＴ部２０４から入力される周波数領域の信号を、設定情報を含む上位レイヤの制御信号（例えば、ＲＲＣ（Radio Resource Control）シグナリング等）、PDCCH、及びデータ信号（つまり、PDSCH）に分離する。そして、分離部２０５は、設定情報を含む上位レイヤの制御信号を設定情報受信部２０６に出力し、PDCCHを互換パート用PDCCH受信部２０７に出力し、PDSCHをPDSCH受信部２０８に出力する。
【００７１】
設定情報受信部２０６は、分離部２０５から入力される制御信号から、自装置に設定された上り及び下りのリソースブロックを示す情報を読み取り、下りのリソースブロックの情報を帯域情報として互換パート用PDCCH受信部２０７及び受信ＲＦ部２０２に出力し、上りのリソースブロックの情報を帯域情報として送信ＲＦ部２１４に出力する。また、設定情報受信部２０６は、分離部２０５から入力される制御信号から、自装置に設定された移動局ＩＤを読み取り、移動局ＩＤを互換パート用PDCCH受信部２０７に出力する。
【００７２】
更に、設定情報受信部２０６は、分離部２０５から入力される制御信号から、自装置に設定された上りのリソースブロックを示す情報を読み取り、上りのリソースブロックの情報を帯域情報として送信ＲＦ部２１４に出力する。また、設定情報受信部２０６は、分離部２０５から入力される制御信号から、自装置に設定された移動局ＩＤを読み取り、移動局ＩＤを互換パート用PDCCH受信部２０７に出力する。
【００７３】
互換パート用PDCCH受信部２０７は、分離部２０５から入力されるPDCCHをブラインド受信（Blind Decoding）する。ここで、PDCCHは、設定情報受信部２０６から入力される帯域情報に示される、自装置に設定された下りリソースブロックにそれぞれ配置されている。互換パート用PDCCH受信部２０７は、PDCCHに含まれる下りスケジューリング情報を読み取り、下りスケジューリング情報をPDSCH受信部２０８に出力する。なお、PDCCHに上りスケジューリング情報が含まれる場合には、互換パート用PDCCH受信部２０７は、上りスケジューリング情報を読み取り、上りスケジューリング情報を配置部２１１に出力する。
【００７４】
PDSCH受信部２０８は、互換パート用PDCCH受信部２０７と拡張パート用PDCCH受信部２１５とから入力される下りスケジューリング情報に従って、分離部２０５から入力されるPDSCHを復調し、受信データを取得する。
【００７５】
変調部２０９は、入力される送信データ（上りデータ）をチャネル符号化及び変調して、変調後のデータ信号をＤＦＴ（Discrete Fourier Transform）部２１０に出力する。
【００７６】
ＤＦＴ部２１０は、変調部２０９から入力されるデータ信号にＦＦＴ処理を行い周波数領域の信号を取得する。そして、ＤＦＴ部２１０は、周波数領域の信号を配置部２１１に出力する。
【００７７】
配置部２１１は、互換パート用PDCCH受信部２０７から入力される上りスケジューリング情報に従って、ＤＦＴ部２１０から入力される周波数領域の信号を、上りリソースブロックに配置されたＰＵＳＣＨに配置する。
【００７８】
ＩＦＦＴ部２１２は、配置部２１１から入力される周波数領域の信号にＩＦＦＴ処理を行い時間領域の信号を取得する。そして、ＩＦＦＴ部２１２は、時間領域の信号をＣＰ付加部２１３に出力する。
【００７９】
ＣＰ付加部２１３は、ＩＦＦＴ部２１２から入力される時間領域の信号にＣＰを付加し、ＣＰ付加後の信号を送信ＲＦ部２１４に出力する。
【００８０】
送信ＲＦ部２１４は、ＣＰ付加部２１３から入力される信号にＤ／Ａ（Digital to Analog）変換、アップコンバート、増幅等の送信処理を施し、送信処理を施した信号をアンテナ２０１からＬＴＥ基地局へ無線送信する。
【００８１】
拡張パート用PDCCH受信部２１５は、拡張パートで送信されたPDCCHを受信し、分離部２０５から入力されるPDCCHをブラインド受信（Blind Decoding）する。以降の動作は、互換パート用PDCCH受信部２０７と同様である。ここで、PDCCHは、設定情報受信部２０６から入力される帯域情報に示される、自装置に設定された下りリソースブロックにそれぞれ配置されている。拡張パート用PDCCH受信部２１５は、PDCCHに含まれる下りスケジューリング情報を読み取り、下りスケジューリング情報をPDSCH受信部２０８に出力する 。なお、PDCCHに上りスケジューリング情報が含まれる場合には、拡張パート用PDCCH受信部２１５は、上りスケジューリング情報を読み取り、上りスケジューリング情報を配置部２１１に出力する。
【００８２】
次に、図７から図１０を参照して、拡張パートにおけるPDCCH領域の設定方法の例（１）〜例（４）について説明する。LTEでは、PDCCHはサブフレーム先頭の第1OFDMシンボルから第3OFDMシンボルの範囲で設定され、PCFICH （Physical Control Format Indicator CHannel）によって通知される。
【００８３】
なお、図７から図１０では、図２４と同様、縦軸は時間（Time）を、横軸は周波数（Frequency）を示す。図中、複数のComponent Carrier（CC）を区別するために、CC１とCC２と表記し、Extension Carrier又はCarrier Segmentを拡張パートと表記している。また、Backward Compatible partを互換パートと表記している。図中、RB（Resource Block）とは、LTEやLTE-Aでは1サブフレームの12サブキャリアで構成されるリソースの単位のことである。図中、各CCは１サブフレーム単位である。Backward Compatible Part は100RBであり、Extension Carrier partは各CCに対して10RBである。
【００８４】
図７は、拡張パートにおけるPDCCH領域の設定方法の例（１）である。図７に示すように、時間軸上から見て、拡張パートにおける、LTE-A 端末（UE）向けPDCCH領域（図中、PDCCH for Rel.10/11と表記）を、互換パートのPDCCHと同じにする。この場合、互換パートのPCFICHを、互換パートのPDCCHと拡張パートのPDCCHとで共用できる。そのため、制御信号送信装置１００は、拡張パートで新たにPCFICH等のPDCCH領域を指示するための信号を送信する必要がない。Carrier Segmentの場合、Carrier Segmentによって拡張される帯域は、あくまでもCC１又CC２に付随するリソースであり、別のCC扱いにはならないため、図７に示す設定方法は、Carrier Segmentに適した方法といえる。
【００８５】
図８は、拡張パートにおけるPDCCH領域の設定方法の例（２）である。図８では、拡張パートにおけるLTE-A 端末（UE）向けPDCCH領域（（図中、PDCCH for Rel.10/11と表記）を、互換パートのPDCCHとは独立に設定している。この場合、拡張パートで新たにPCFICH、又はそれと同様の通知を行う信号を送信する必要がある。しかし、拡張パートがExtension Carrierである場合、Extension Carrierによって拡張される帯域は別のCC扱いであるため、CCごとにPDCCH領域を設定するというRAN1合意に近い考えであり、図８に示す設定方法は、規格上の親和性は高い。
【００８６】
図９は、拡張パートにおけるPDCCH領域の設定方法の例（３）である。図９では、10RB分ある拡張パート全体を、LTE-A 端末（UE）向けPDCCH領域（図中、PDCCH for Rel.10/11と表記）に設定している。1サブフレームが14OFDMシンボル、1RBが12サブキャリアで構成される場合、拡張パート全体では、1680RE（＝14×10×12）であり、これは、100RB分ある互換パート全体に対して、約1.2OFDMシンボル分に相当する。したがって、拡張パート全体を、LTE-A 端末（UE）向けPDCCH領域に設定することで、効果的に互換パートのPDCCH電力密度を低減することができる。
【００８７】
図１０は、拡張パートにおけるPDCCH領域の設定方法の例（４）である。図１０では、拡張パートのサブフレーム前半を、LTE-A 端末（UE）向けPDCCH領域とする場合を示す。この場合、拡張パート全体をOFDMシンボルにする場合に比べて、サブフレーム途中でPDCCHの受信が完了する。そのため、サブフレーム後半を端末（UE）のマイクロスリープとして活用できる。ここで、マイクロスリープとは、処理が不要な時間に回路の動作を止め、消費電力を節約する制御のことを言う。
【００８８】
拡張パートにおけるPDCCH領域の設定方法の例（１）〜例（４）によれば、マクロセル（Macro eNB）の互換パートのPDCCH領域の信号が減ることによって、マクロセル（Macro eNB）のPDCCHが、HeNBの、HUEが受けるPDCCHに与える干渉を低減することができる。更には、拡張パートに移ったマクロセル（Macro eNB）のPDCCHも、被干渉が小さい。そのため、マクロセル（Macro eNB）は、拡張パートの干渉が小さいことが期待でき、互換パートよりも少ないリソースを用いて拡張パートでPDCCHを送ることができるので、互換パートの電力密度を効果的に低減できる。このような効果は、特に、図１に示すような、HeNBからHUEに向けて送信された信号が、マクロセル（Macro eNB）からMUEに向けて送信した信号から大きく干渉を受けやすいHetNet環境において有効である。
【００８９】
以上、本実施の形態によれば、制御信号送信装置１００は、拡張パート（Extension Carrier又はCarrier Segment）に、LTE-A  端末（UE）向けのPDCCHに割り当てることで、互換パート（Backward Compatible Part）のPDCCH領域の使用リソースを減らすことで、互換パートのPDCCH領域の信号を減少させることができる。その結果、たとえば図1に示すHetNet環境において、制御信号送信装置１００は、自装置が送信する信号がHeNBからHUEに向けて送信される信号（たとえば、PDCCH）に与える干渉電力を効果的に低減することができる。
【００９０】
特に、HeNBからHUEに向けて送信される信号のうち、互換パートに含まれるPDCCHでは通信のために必要な制御情報が送信されているので、Macro eNBである制御信号送信装置１００は、自装置が送信する信号のうち、互換パートのPDCCH領域の使用リソースを減らすことができれば、たとえば図1に示すHetNet環境において、HUEがHeNBから受信する互換パートに配置されたPDCCHに対する干渉を抑制して、HUEは、PDCCHを受信・復調・復号することでHUEがHeNBと通信することができる。
【００９１】
また、本実施の形態によれば、制御信号受信装置２００は、制御信号送信装置１００において、互換パートのPDCCH領域の信号の一部又は全てが、拡張パートのPDCCH領域に設定されているので、たとえば、図1に示すHetNet環境において、HeNBが、拡張パートを設けずに互換パートのみで信号を送信する場合（図２（ｂ）参照）、制御信号受信装置２００向けの信号のうち、拡張パートに対するHeNBからの干渉が小さくなる。そのため、制御信号送信装置１００が拡張パートに通信のために必要な制御情報をPDCCHに含めると、制御信号受信装置２００は、PDCCHを確実に受信することができる。
【００９２】
（変形例１）
次に、実施の形態１の変形例１に係る制御信号送信装置１００Ａ及び制御信号受信装置２００Ａについて、図１１〜図１９を参照して、説明する。
【００９３】
本変形例において、制御信号送信装置１００Ａは、LTE-A 端末（UE）向けに互換パートのPDCCH領域と拡張パートのPDCCH領域とを用いて制御情報を送信する。そのため、制御信号送信装置１００Ａは、周波数ダイバーシチと耐干渉性能とを得ることができる。
【００９４】
本変形例においても、実施の形態１と同様、図１に示すHetNet環境を想定する。そのため、HeNBからHUEに向けて送信された信号が、マクロセル（Macro eNB）からMUEに向けて送信した信号から大きく干渉を受けやすい。
【００９５】
変形例１に係る制御信号送信装置１００Ａが、実施の形態１に係る制御信号送信装置１００と異なる点は、互換パート用PDCCH生成部１０３、及び拡張パート用PDCCH生成部１１２が、リソースブロック（RB）に配置されるPDCCHを割り当てる方法であり、この点以外については実施の形態１に係る制御信号送信装置１００と同じ動作なので、その詳細な説明を省略する。
【００９６】
図１１（ａ），（ｂ）は、リソースブロック（RB）に配置されるPDCCHを割り当てる方法（１）を説明するための図である。図１１（ａ），（ｂ）では、図２４と同様、縦軸は時間（Time）を、横軸は周波数（Frequency）を示す。図中、複数のComponent Carrier（CC）を区別するために、CC１とCC２と表記し、Extension Carrier又はCarrier Segmentを単に、Extension Carrier partと表記している。図中、RB（Resource Block）とは、LTEやLTE-Aでは1サブフレームの12サブキャリアで構成されるリソースの単位のことである。図中、各CCは１サブフレーム単位である。Backward Compatible Part は100RBであり、Extension Carrier part（拡張パート）は各CCに対して10RBである。
【００９７】
ここで、互換パートとは、互換性を保つ必要のある複数のシステムで使用されるシステム帯域であり、拡張パートとは、前記拡張パートは前記互換パート間に隣接した周波数帯域に設けられ、かつ送信信号を割り当てることができる周波数リソースである。
すなわち、本変形例においては、実施の形態同様、互換性を保つ必要のある複数のシステムで使用されるシステム帯域とは、LTEとLTE-Advancedの両方で使用されるComponent Carrierであり、互換パートに隣接した送信信号を割り当て可能な周波数帯域に設けられた周波数リソースとは、Extension Carrier又はCarrier Segmentである。
【００９８】
図１１（ａ），（ｂ）に示すように、本変形例において、制御信号送信装置１００Ａ（マクロセル（Macro eNB））では、もともと互換パートで送信されていたPDCCHの一部を拡張パートに移すことで、拡張パートへ移した分、不使用RE（リソース）が増え、互換パートのPDCCH領域の電力密度が下がる。
【００９９】
したがって、たとえば、PDCCH領域の指定の方法としては、拡張パートに互換パートから連続するCCE （Control Channel Element）番号を定義し、使用するCCE領域を複数指定する。制御信号送信装置１００Ａから互換パート及び拡張パートのいずれのパートであるかが明示的に指示されなくても、制御信号受信装置２００Ａでは、指定されたCCE領域が拡張パートを含んでいれば、拡張パートのPDCCHを見ることになる。
【０１００】
ただし、互換パートのPDCCH領域は従来のLTE（Rel.8や9）の端末（UE）も使用するために後方互換性が求められるので、CCEのインタリーブは変えられない。したがって、拡張パートのCCEインタリーブパターンは、互換パートとは独立に定義する。
【０１０１】
以下、図１２〜図１９を参照して、本変形例において、互換パート用PDCCH生成部１０３、及び拡張パート用PDCCH生成部１１２が、リソースブロック（RB）に配置されるPDCCHを割り当てる方法について説明する。図１２〜図１９に示す例では、拡張パートに互換パートから連続するCCEの番号をあらかじめ定義している。
【０１０２】
互換パートのCCEに対して、拡張パートのCCEが少なく全体で2CCE又は4CCE割り当てる場合、複数の互換パートのCCEを同じ拡張パートのCCEに対応させ、拡張パートが重複する互換パート同士は同時に使わないようにする。
【０１０３】
［PDCCHの割当例（１）］
図１２にPDCCHの割当例（１）を示す。図１２に示す例では、CCE番号０〜１１までが互換パートのCCEに付与され、CCE番号１１に連続するCCE番号１２〜１７までが拡張パートのCCEに付与されている。そして、図１２に示す例では、拡張パートの一部である、CCE番号１２の１CCEに対して、互換パートの一部である、CCE番号０及びCCE番号６の２CCEを対応させる。
【０１０４】
したがって、拡張パートの一部である、CCE番号１２のCCEをPDCCH領域として使用する場合、互換パートの一部である、CCE番号０のCCEをPDCCH領域として使用すれば、CCE番号６のCCEはPDCCH領域として使用しない。同様に、拡張パートの一部である、CCE番号１３のCCEをPDCCH領域として使用する場合、互換パートの一部である、CCE番号１のCCEをPDCCH領域として使用すれば、CCE番号７のCCEはPDCCH領域として使用しない。そのため、制御信号送信装置１００Ａは、互換パートで重複のため使われないCCEの分、互換パート部分の与干渉を減らすことができる。
【０１０５】
［PDCCHの割当例（２）］
図１３にPDCCHの割当例（２）を示す。図１３に示す例では、CCE番号０〜１１までが互換パートのCCEに付与され、CCE番号１１に連続するCCE番号１２〜１７までが拡張パートのCCEに付与されている。そして、図１３に示す例では、拡張パートの一部である、CCE番号１２〜１４の３CCEに対して、互換パートの一部である、CCE番号０、２、４、６、８、１０の６CCEを対応させる。さらに、拡張パートの一部である、CCE番号１５〜１７の３CCEに対して、互換パートの一部である、CCE番号１、３、５、７、９、１１の６CCEを対応させる。
【０１０６】
したがって、例えば、拡張パートの一部である、CCE番号１２〜１４の３CCEをPDCCH領域として使用する場合、互換パートの一部である、CCE番号０の１CCEをPDCCH領域として使用すれば、残りの割り当てられたCCE番号２、４、６、８、１０の５CCEはPDCCH領域として使用しない。同様に、拡張パートの一部である、CCE番号１５〜１７の３CCEをPDCCH領域として使用する場合、互換パートの一部である、CCE番号１の１CCEをPDCCH領域として使用すれば、残りの割り当てられたCCE番号３、５、７、９、１１の５CCEはPDCCH領域として使用しない。そのため、制御信号送信装置１００Ａは、互換パートで重複のため使われないCCEの分、互換パート部分の与干渉を減らすことができる。
【０１０７】
さらに、互換パートの周波数ダイバーシチゲインと互換パートとの与干渉を考慮して、互換パートと拡張パートとの分割量を変えても良い。例えば、全体で4CCE割り当てる場合、与干渉が小さい場合は互換パート 2CCE、拡張パート 2CCEにしてより周波数ダイバーシチゲインを得、与干渉が大きい場合は互換パート 1CCE、拡張パート 3CCEにして与干渉を低減させる。
【０１０８】
［PDCCHの割当例（３）］
図１４にPDCCHの割当例（３）を示す。図１４に示す例では、CCE番号０〜１１までが互換パートのCCEに付与され、CCE番号１１に連続するCCE番号１２〜１７までが拡張パートのCCEに付与されている。図１４に示す例では、拡張パートの一部である、CCE番号１２、１３の２CCEに対して、互換パートの一部である、CCE番号０、１の２CCEと、互換パートの一部である、CCE番号６、７の２CCEとを対応させる。同様に、拡張パートの一部である、CCE番号１４、１５の２CCEに対して、互換パートの一部である、CCE番号２、３の２CCEと、互換パートの一部である、CCE番号８、９の２CCEとを対応させ、拡張パートの一部である、CCE番号１６、１７の２CCEに対して、互換パートの一部である、CCE番号４、５の２CCEと、互換パートの一部である、CCE番号１０、１１の２CCEとを対応させる。
【０１０９】
したがって、例えば、拡張パートの一部である、CCE番号１２、１３の２CCEをPDCCH領域として使用する場合、互換パートの一部である、CCE番号０、１の２CCEをPDCCH領域として使用すれば、残りの割り当てられたCCE番号６、７の２CCEはPDCCH領域として使用しない。つまり、実際には、互換パート２CCEに対して拡張パート ２CCEが対応すると言える。そのため、制御信号送信装置１００Ａは、互換パートで重複のため使われないCCEの分、互換パート部分の与干渉を減らすことができる。なお、他のCCE番号１４、１５の組及びCCE番号１６、１７の組についても同様である。
【０１１０】
［PDCCHの割当例（４）］
図１５にPDCCHの割当例（４）を示す。図１５に示す例では、CCE番号０〜１１までが互換パートのCCEに付与され、CCE番号１１に連続するCCE番号１２〜１７までが拡張パートのCCEに付与されている。  図１５に示す例では、拡張パートの一部である、CCE番号１２、１３、１４の３CCEに対して、互換パートの一部である、CCE番号０、２、４、６、８、１０の６CCEを対応させる。同様に、拡張パートの一部である、CCE番号１５、１６、１７の３CCEに対して、互換パートの一部である、CCE番号１、３、５、７、９、１１の６CCEを対応させる。
【０１１１】
したがって、例えば、拡張パートの一部である、CCE番号１２、１３、１４の３CCEをPDCCH領域として使用する場合、互換パートの一部である、CCE番号０の１CCEをPDCCH領域として使用すれば、残りの割り当てられたCCE番号２、４、６、８、１０の５CCEはPDCCH領域として使用しない。つまり、実際には、互換パート 1CCEに対して拡張パート 3CCEが対応すると言える。そのため、制御信号送信装置１００Ａは、互換パートで重複のため使われないCCEの分、互換パート部分の与干渉を減らすことができる。なお、他のCCE番号１５、１６、１７の組組についても同様である。
【０１１２】
図１２から図１５に示す例では、元の互換パートで用いていたCCEのリソースと同じリソースで送る場合について説明したが、これに限らない。制御信号送信装置１００Ａは、拡張パートに移されたPDCCHはHeNBからの干渉がない、又はあったとしても小さいことを利用して、元の互換パートで用いていたCCEのリソースよりも少ないリソースで送っても良い。したがって、全体では少ないCCEでPDCCHを送っても良い。以下、図１６から図１９を参照して、その例について説明する。
【０１１３】
次に、互換パートでPDCCH領域として4CCE必要だった場合を、拡張パートも含めてリソース全体で3CCEにする例について述べる。
【０１１４】
［PDCCHの割当例（５）］
図１６にPDCCHの割当例（５）を示す。図１６に示す例では、CCE番号０〜１１までが互換パートのCCEに付与され、CCE番号１１に連続するCCE番号１２〜１７までが拡張パートのCCEに付与されている。なお、図１６に示す例では、元々の互換パート4CCEのうち2CCE分のPDCCHが互換パートで送られているものとする。
【０１１５】
図１６に示すように、拡張パートの一部である、CCE番号１２の１CCEに対して、互換パートの一部である、CCE番号０、１の２CCEを対応させる。同様に、拡張パートの一部である、CCE番号１２から１７の各１CCEに対しても同様である。そのため、例えば、元々の互換パート4CCEのうち、互換パートで送られている2CCE以外の2CCE分のPDCCHが、拡張パートの一部である、CCE番号１２の１CCE分送られることになる。
【０１１６】
上述のように、図１６に示す例では、元々の互換パート4CCEのうち2CCE分が互換パートで送られているため、互換パートにおける周波数ダイバーシチ効果を容易に得ることができ、より周波数ダイバーシチ効果を得たい場合に適している例である。さらに、図１６に示す例では、互換パートで4CCE必要なリソースを、拡張パートに移されたPDCCHはHeNBからの干渉がない、又はあったとしても小さいことを利用して、互換パートを含めて全体で3CCEのリソースだけでPDCCHが送信される。
【０１１７】
［PDCCHの割当例（６）］
図１７にPDCCHの割当例（６）を示す。図１７に示す例では、CCE番号０〜１１までが互換パートのCCEに付与され、CCE番号１１に連続するCCE番号１２〜１７までが拡張パートのCCEに付与されている。なお、図１７に示す例では、元々の互換パート4CCEのうち１CCE分のPDCCHが互換パートで送られているものとする。
【０１１８】
図１７に示すように、拡張パートの一部である、CCE番号１２、１３の２CCEに対して、互換パートの一部である、CCE番号０の１CCEを対応させる。拡張パートの一部である、CCE番号１４、１５の組、CCE番号１６、１７の組に対しても同様である。そのため、例えば、元々の互換パート4CCEのうち、互換パートで送られている１CCE以外の３CCE分のPDCCHが、拡張パートの一部である、CCE番号１２、１３の２CCE分送られることになる。
【０１１９】
したがって、図１７に示す例では、もともとの互換パート4CCEのうち3CCE分がより干渉の小さい拡張パートで送られることになるので、より耐干渉性能を得たい場合に適している。
【０１２０】
なお、拡張パートのCCE数が互換パートより少ないにもかかわらず、拡張パートのCCE数が多くなる組み合わせのため、ある組み合わせを使うと別の組み合わせが使えない場合が出てくる。例えば、互換パートの一部である、CCE番号０は、拡張パートの一部である、CCE番号１２、１３と組み合わされるが、この組み合わせを使った場合、CCE番号０と同様に拡張パートCCE番号１２、１３と組み合わせが定義されている、互換パートの一部であるCCE番号３、６、９の各CCEは結果的に使われないということになる。したがって、さらに効果的に互換パートの与干渉を低減することができる。
【０１２１】
次に、拡張パートの1CCEあたりのRE数（物理的リソース）を互換パートの半分にする例について述べる。
【０１２２】
［PDCCHの割当例（７）］
図１８にPDCCHの割当例（７）を示す。図１８に示す例では、CCE番号０〜１１までが互換パートのCCEに付与され、CCE番号１１に連続するCCE番号１２〜２３までが拡張パートのCCEに付与されている。なお、互換パート1CCEあたりのRE数は、拡張パートの1CCEあたりのＲＥ数の半分である。
【０１２３】
図１８に示す例では、CCE番号１２、１３の２CCEに対して、互換パートの一部である、CCE番号０、１の２CCEを対応させる。ただし、上述のように、互換パート1CCEあたりのRE数は、拡張パートの1CCEあたりのＲＥ数の半分である。そのため、トータルでは互換パートの3CCE分のリソースを使っている。なお、拡張パートの一部である、CCE番号１４、１５の組、CCE番号１６、１７の組、CCE番号１８、１９の組、CCE番号２０、２１の組、CCE番号２２、２３の組、に対しても同様である。
【０１２４】
したがって、図１８に示す例では、図１６に示す例と同様、元々の互換パート4CCEのうち2CCE分が互換パートで送られており、互換パートにおける周波数ダイバーシチ効果を得られやすいため、より周波数ダイバーシチ効果を得たい場合に適している。
【０１２５】
［PDCCHの割当例（８）］
図１９にPDCCHの割当例（８）を示す。図１９に示す例では、CCE番号０〜１１までが互換パートのCCEに付与され、CCE番号１１に連続するCCE番号１２〜２３までが拡張パートのCCEに付与されている。なお、互換パート1CCEあたりのRE数は、拡張パートの1CCEあたりのＲＥ数の半分である。
【０１２６】
図１９に示すように、拡張パートの一部である、CCE番号１２〜１５に対して、互換パートの一部である、CCE番号０、３、６、９を対応させる。拡張パートの一部である、CCE番号１６〜１９の組、CCE番号２０〜２３の組に対しても同様である。そのため、例えば、元々の互換パート4CCEのうち、互換パートで送られている１CCE以外の３CCE分のPDCCHが、拡張パートの一部である、CCE番号１２〜１５の２CCE分送られることになる。そのため、トータルでは互換パートの3CCE分のリソースを使っている。
【０１２７】
したがって、図１９に示す例では、もともとの互換パート4CCEのうち3CCE分がより干渉の小さい拡張パートで送られることになるので、また、図１９に示す例では、図１７に示す例と同様に、ある組み合わせを使えば、互換パートのうち使われないCCEが出てくることになり、互換パートの与干渉を効果的に低減できる。
【０１２８】
以上、本変形例において、制御信号送信装置１００Ａは、自装置（マクロセル（Macro eNB））の通常のPDCCH領域の信号が減ることによって、自装置（マクロセル（Macro eNB））のPDCCHがHeNBのPDCCHに与える干渉を低減することができる。さらには、制御信号送信装置１００Ａは、拡張パートだけでは帯域幅が小さく周波数選択性の影響を受け易くなることを、互換パートを使うことで周波数ダイバーシチ効果を得ることができる。
【０１２９】
また、本変形例において、制御信号受信装置２００Ａは、制御信号送信装置１００Ａにおいて、互換パートのPDCCH領域の信号の一部又は全てが、拡張パートのPDCCH領域に設定されているので、たとえば、図１に示すHetNet環境において、HeNBが、拡張パートを設けずに互換パートのみで信号を送信する場合（図２（ｂ）参照）、制御信号受信装置２００Ａ向けの信号のうち、拡張パートに対するHeNBからの干渉が小さくなる。そのため、制御信号送信装置１００Ａが拡張パートに通信のために必要な制御情報をPDCCHに含めると、制御信号受信装置２００Ａは、PDCCHを確実に受信することができる。
【０１３０】
ところで、図１４に示す例では、例えば、拡張パートの一部である、CCE番号１２、１３の２CCEに対して、互換パートの一部である、CCE番号０、１の２CCEの組、及びCCE番号６、７の２CCEの組の両組が割り当てられているので、例えば、CCE番号０、１の２CCEに対応して、CCE番号１２、１３の２CCEを使用すると、CCE番号６、７の２CCEを未使用リソースとなり、互換パートの電力密度を低減することができる一方、CCE番号６、７の２CCEを使用できない。これでは、互換パートにおいてCCEを割当できるユーザ数が減少してしまう。
【０１３１】
しかしながら、図１６に示す例では、互換パートの一部である、CCE番号０、１の２CCEに対して、拡張パートの一部である、CCE番号１２のみ割り当てておくことで、図１４に示す例に比して、未使用リソースを減少させることができる。そのため、互換パートにおいてCCEを割当できるユーザ数を、図１４に示す例に比して増やすことができる。
【０１３２】
したがって、図１６に示す例では、周波数ダイバーシチ効果を得られるうえに、互換パートにおいてCCEを割当できるユーザ数を、図１４に示す例に比して増やすことができる。
【０１３３】
同様に、図１５に示す例では、例えば、拡張パートの一部である、CCE番号１２、１３、１４の３CCEに対して、互換パートの一部である、CCE番号０、２、４、６、８、１０の６CCEが割り当てられているので、たとえば、互換パートの一部である、CCE番号０のCCEに対応して、拡張パートの一部である、CCE番号１２、１３、１４の３CCEを使用すると、互換パートの一部であるCCE番号２、４、６、８、１０の５CCEが未使用リソースとなり、互換パートの電力密度を低減することができる一方、互換パートの一部であるCCE番号２、４、６、８、１０の５CCEを使用できない。これでは、互換パートにおいてCCEを割当できるユーザ数が減少してしまう。
【０１３４】
しかしながら、図１７に示す例では、互換パートの一部である、CCE番号０、３、６、９の４CCEに対して、拡張パートの一部である、CCE番号１２、１３の２CCEを割り当てておくことで、図１５に示す例に比して、未使用リソースを減少させることができる。そのため、互換パートにおいてCCEを割当できるユーザ数を、図１５に示す例に比して増やすことができる。
【０１３５】
したがって、図１７に示す例では、周波数ダイバーシチ効果を得られるうえに、互換パートにおいてCCEを割当できるユーザ数を、図１５に示す例に比して増やすことができる。
【０１３６】
（変形例２）
次に、実施の形態１の変形例２に係る制御信号送信装置１００Ｂ及び制御信号受信装置２００Ｂについて、図２０、図２１を参照して、説明する。
【０１３７】
本変形例において、制御信号送信装置１００Ｂは、複数の拡張パートCC１、CC２を論理的に合体させ一つのCCとし、拡張パートのPDCCHだけで互換パートと拡張パートのリソース割り当てを指示する。そのため、制御信号送信装置１００Ｂは、干渉の小さい拡張パートを使うことでより少ないリソースでPDCCHを送ることができる。また、CCが3個以上ある場合、制御信号送信装置１００Ｂは、互換パートを跨る拡張パート同士を論理的に合体させることで、互換パートを用いなくても周波数ダイバーシチを得ることができる。
【０１３８】
本変形例においても、実施の形態１と同様、図１に示すHetNet環境を想定する。そのため、HeNBからHUEに向けて送信された信号が、マクロセル（Macro eNB）からMUEに向けて送信した信号から大きく干渉を受けやすい。
【０１３９】
変形例１に係る制御信号送信装置１００Ｂが、実施の形態１に係る制御信号送信装置１００と異なる点は、互換パート用PDCCH生成部１０３、及び拡張パート用PDCCH生成部１１２が、リソースブロック（RB）に配置されるPDCCHを割り当てる方法であり、この点以外については実施の形態１に係る制御信号送信装置１００と同じ動作なので、その詳細な説明を省略する。
【０１４０】
図２０は、リソースブロック（RB）に配置されるPDCCHを割り当てる方法を説明するための図（２）である。図２０では、図２４と同様、縦軸は時間（Time）を、横軸は周波数（Frequency）を示す。図中、複数のComponent Carrier（CC）を区別するために、CC１とCC２と表記し、Extension Carrier又はCarrier Segmentを単に、Extension Carrier part（拡張パート）と表記している。図中、RB（Resource Block）とは、LTEやLTE-Aでは1サブフレームの12サブキャリアで構成されるリソースの単位のことである。図中、各CCは１サブフレーム単位である。Backward Compatible Part は100RBであり、Extension Carrier part（拡張パート）は各CCに対して10RBである。
【０１４１】
ここで、互換パートとは、互換性を保つ必要のある複数のシステムで使用されるシステム帯域であり、前記拡張パートは前記互換パートに隣接した周波数帯域に設けられ、かつ送信信号を割り当てることができる周波数リソースである。
すなわち、本変形例においては、実施の形態同様、互換性を保つ必要のある複数のシステムで使用されるシステム帯域とは、LTEとLTE-Advancedの両方で使用されるComponent Carrierであり、互換パートに隣接した送信信号を割り当て可能な周波数帯域に設けられた周波数リソースとは、Extension Carrier又はCarrier Segmentである。
【０１４２】
図２０に示すように、制御信号送信装置１００Ｂが2個のCC１とCC２との間の2個の拡張パートを論理的に合体させて一つのCCとして取り扱えば、拡張パートのPDCCHで、CC1とCC2の拡張パートのいずれかのリソース割り当てを指示する。制御信号送信装置１００Ｂは、被干渉の小さい拡張パートを使うことでより少ないリソースでPDCCHを送ることができる。
【０１４３】
図２１は、リソースブロック（RB）に配置されるPDCCHを割り当てる方法を説明するための図（３）である。図２１では、図２４と同様、縦軸は時間（Time）を、横軸は周波数（Frequency）を示す。図中、複数のComponent Carrier（CC）を区別するために、CC１、CC２、CC３と表記し、Extension Carrier又はCarrier Segmentを単に、Extension Carrier part（拡張パート）と表記している。図中、RB（Resource Block）とは、LTEやLTE-Aでは1サブフレームの12サブキャリアで構成されるリソースの単位のことである。図中、各CCは１サブフレーム単位である。Backward Compatible Part は100RBであり、Extension Carrier part（拡張パート）は各CCに対して10RBである。
【０１４４】
図２１に示すように、制御信号送信装置１００Ｂは、CC１、CC２間、CC２、CC３間の4個の拡張パートを論理的に合体させることで、互換パートを用いなくても周波数ダイバーシチを得ることができる。このように、CCが3個以上ある場合は、互換パートを跨る拡張パート同士（図２１中、CC１、CC２間、CC２、CC３間の拡張パート）を論理的に合体させることで、制御信号送信装置１００Ｂは、互換パートを用いなくても周波数ダイバーシチを得ることができる。
【０１４５】
以上、本変形例において、制御信号送信装置１００Ｂは、自装置（マクロセル（Macro eNB））の互換パートのPDCCH領域の信号が減ることで、自装置（マクロセル（Macro eNB））のPDCCHが、HeNBのHUEが受けるPDCCHに与える干渉を低減させることができる。さらには、制御信号送信装置１００Ｂは、拡張パートに移った自装置（マクロセル（Macro eNB））のPDCCHも被干渉が小さくなる。ここで、拡張パートは外部から干渉が小さいことが期待できるので、制御信号送信装置１００Ｂは、互換パートよりも少ないリソースを用いて、拡張パートでPDCCHを送ることができるので、互換パートの電力密度を効果的に低減できる。また、CCが3個以上ある場合、制御信号送信装置１００Ｂは、互換パートを跨る拡張パート同士を論理的に合体させることで、互換パートを用いなくても周波数ダイバーシチを得ることができる。
【０１４６】
なお、上記実施の形態及び各変形例において、フェムトセル近傍のマクロセル（Macro eNB）の端末（MUE）のPDCCH受信品質が悪い環境でも、同様の効果を得ることができる。さらには、拡張パートに移った分は被干渉が小さい。そのため、互換パートに残った部分もRel.10以降の端末向けPDCCHが拡張パートに移り、空きCCEができた分の一部を使うことで、耐干渉性を高められる。
【０１４７】
なお、上記実施の形態及び各変形例において、拡張パートは、Extension Carrierでなく、Carrier Segmentでも良い。さらに、規格との整合性を鑑み、Extension Carrierは別CC扱いとし、Carrier SegmentはCCに付随のリソースとして扱っても良い。さらに、拡張パートが必ずしも複数のCCに挟まれた帯域でなく、個別のCCに単に隣接している場合でも良い。
【０１４８】
なお、上記実施の形態及び各変形例において、HeNBでExtension CarrierやCarrier Segmentが使える場合はHeNB側で同様に拡張パートを使ってもよい。ここで、HeNBで拡張パートを使う場合は、HeNBからマクロセル（Macro eNB）の互換パートのPDCCHに与える干渉も低減する。
【０１４９】
なお、上記実施の形態及び各変形例において、Rel.10以降のLTE-A 端末（UE）向けPDCCHは必ず拡張パートに移行するとしても良いし、接続端末（UE）数などに応じて互換パートでの割り当てと使い分けるとしても良い。
【０１５０】
なお、上記実施の形態及び各変形例において、HeNBがpicoセルマクロやRelay Nodeの場合でも同様の効果が得られる。この場合、図１に示すHetNet環境でなく、マクロのみのHomogeneous Network環境でも使える。
【０１５１】
なお、上記実施の形態及び各変形例において、HeNBがRel.10以降のLTE-A 端末（UE）のみに対応する場合は、HeNBに接続する端末（UE）向けPDCCHをExtension carrierで増えたRBで送信しても良い。
【０１５２】
なお、上記実施の形態及び各変形例において、HeNBが拡張パートを使える場合、HUEができる限り拡張パートを使うようにしても良い。この場合、マクロセル（Macro eNB）に接続する端末（UE）は、繋がる基地局の種別に応じて、Extension CCEの利用優先度を決める。この場合、マクロセル（Macro eNB）がマクロセル（Macro eNB）に接続する端末（UE）にExtension CCEの利用優先度をExplicitに通知する。
【０１５３】
なお、上記実施の形態及び各変形例において、アンテナとして説明したが、アンテナポートでも同様に適用できる。アンテナポート（antenna port）とは、1本または複数の物理アンテナから構成される、論理的なアンテナを指す。すなわち、アンテナポートは必ずしも1本の物理アンテナを指すとは限らず、複数のアンテナから構成されるアレイアンテナ等を指すことがある。例えばLTEにおいては、アンテナポートが何本の物理アンテナから構成されるかは規定されず、基地局が異なるReference signalを送信できる最小単位として規定されている。また、アンテナポートはPrecoding vectorの重み付けを乗算する最小単位として規定されることもある。
【０１５４】
また、上記実施の形態及び各変形例の説明に用いた各機能ブロックは、典型的には集積回路であるLSIとして実現される。これらは個別に１チップ化されてもよいし、一部または全てを含むように１チップ化されてもよい。ここでは、LSIとしたが、集積度の違いにより、IC、システムLSI、スーパーLSI、ウルトラLSIと呼称されることもある。
【０１５５】
また、集積回路化の手法はLSIに限るものではなく、専用回路または汎用プロセッサで実現してもよい。LSI製造後に、プログラムすることが可能なFPGA（Field Programmable Gate Array）や、LSI内部の回路セルの接続や設定を再構成可能なリコンフィギュラブル・プロセッサーを利用してもよい。
【０１５６】
さらには、半導体技術の進歩または派生する別技術によりLSIに置き換わる集積回路化の技術が登場すれば、当然、その技術を用いて機能ブロックの集積化を行ってもよい。バイオ技術の適応等が可能性としてありえる。
【０１５７】
本発明を詳細にまた特定の実施態様を参照して説明したが、本発明の精神と範囲を逸脱することなく様々な変更や修正を加えることができることは当業者にとって明らかである。
【０１５８】
本出願は、２０１０年１月２８日出願の日本特許出願（特願２０１０−０１７１１３）に基づくものであり、その内容はここに参照として取り込まれる。
【産業上の利用可能性】
【０１５９】
本発明に係る制御信号送信装置及び制御信号送信方法は、フェムトセルに接続される端末の制御信号が受ける干渉電力を低減することができるという、効果を有し、無線通信装置等として有用である。
本発明に係る制御信号受信装置は、自装置向けの制御信号を確実に受信することができるという効果を有し、無線通信装置等として有用である。
【符号の説明】
【０１６０】
１００  制御信号送信装置
１０１  設定部
１０２  制御部
１０３  互換パート用PDCCH生成部
１０４、１０５、１０６、１１３、２０９  変調部
１０７  配置部
１０８  ＩＦＦＴ部
１０９  ＣＰ付加部
１１０  送信ＲＦ部
１１１、２０１  アンテナ
１１２  拡張パート用PDCCH生成部
２０２  受信ＲＦ部
２０３  ＣＰ除去部
２０４  ＦＦＴ部
２０５  分離部
２０６  設定情報受信部
２０７  互換パート用PDCCH受信部
２０８  PDSCH受信部
２１０  ＤＦＴ部
２１１  配置部
２１２  ＩＦＦＴ部
２１３  ＣＰ付加部
２１４  送信ＲＦ部
２１５  拡張パート用PDCCH受信部
【図１】
0005449409.tif 000002
【図２】
0005449409.tif 000003
【図３】
0005449409.tif 000004
【図４】
0005449409.tif 000005
【図５】
0005449409.tif 000006
【図６】
0005449409.tif 000007
【図７】
0005449409.tif 000008
【図８】
0005449409.tif 000009
【図９】
0005449409.tif 000010
【図１０】
0005449409.tif 000011
【図１１】
0005449409.tif 000012
【図１２】
0005449409.tif 000013
【図１３】
0005449409.tif 000014
【図１４】
0005449409.tif 000015
【図１５】
0005449409.tif 000016
【図１６】
0005449409.tif 000017
【図１７】
0005449409.tif 000018
【図１８】
0005449409.tif 000019
【図１９】
0005449409.tif 000020
【図２０】
0005449409.tif 000021
【図２１】
0005449409.tif 000022
【図２２】
0005449409.tif 000023
【図２３】
0005449409.tif 000024
【図２４】
0005449409.tif 000025
【図２５】
0005449409.tif 000026